(57)【特許請求の範囲】
【請求項１】
アイテムを取付け及び取外しするためのキットであって、
ａ）アセンブリは、開口部、少なくとも下部壁、少なくとも側壁を有するチャンバを含み、前記側壁は下部壁に接続され、
ｂ）磁気により引き付けられる内部プレートは、下部壁に隣接するチャンバの中に固定され、
ｃ）第１磁石平坦側面及び前記第１磁石平坦側面の反対側の第２磁石平坦側面を有する磁石であって、前記磁石は磁気により引付けられる内部プレートと上部壁との間を移動するための前記チャンバに摺動可能に配置され、前記磁石は第一磁場範囲を有する磁場を設け、
ｄ）磁気により引き付けられる外部プレートは、厚さ及び第一磁気により引き付けられる外部プレートに隣接する磁石を移動可能に保持する十分な磁力を備える下部壁の反対側の側壁に固定されることから成るアイテムを取付け及び取外しするためのキット。
【請求項２】
係合ピンであって、
ａ）ピン頭部を含み、
ｂ）ピン軸は前記ピン頭部に接続され、前記ピン軸は前記チャンバ内で摺動可能に十分な小径を有し、前記ピン軸は、前記磁石で前記磁気により引き付けられる内部プレートに隣接する位置から前記磁気により引き付けられる外部プレートに隣接する位置に移動可能な磁気的に引付けられる材料を含み、チャンバ内でピン軸は、磁場範囲を磁気により前記引き付けられる内部プレートに係合する磁石を移動する第二磁場範囲へ拡張し、
ｃ）交換可能なアクセサリアイテムであって、前記交換可能なアクセサリアイテムは、早急な脱着のための磁石を用いるアセンブリに磁気により取付けることができることを含む請求項１に記載のキット。
【請求項３】
アイテムを取付け及び取外しするためのキットであって、
ａ）アセンブリは開口部、少なくとも下部壁、少なくとも側壁を有するチャンバを含み、前記側壁は前記下部壁に接続され、
ｉ）チャンバは、開口部、少なくとも下部壁、少なくとも側壁を有し、前記側壁は前記下部壁に接続され、
ｉｉ）磁気により引き付けられる内部プレートは、前記下部壁に隣接するチャンバの中に固定され、
ｉｉｉ）第１磁石平坦側面及び前記第１磁石平坦側面の反対側の第２磁石平坦側面を有する磁石であって、前記磁石は磁気により引付けられる内部プレートと上部壁との間を移動するための前記チャンバに摺動可能に配置され、前記磁石は第一磁場範囲を有する磁場を設け、
ｉｖ）磁気により引き付けられる外部プレートは、厚さ及び第一磁気により引き付けられる外部プレートに隣接する磁石を移動可能に保持する十分な磁力を備える下部壁の反対側の側壁に固定され、
ｂ）薄い脱着可能なプレートであって、
前記薄い脱着可能なプレートはアイテムに差し込むことができ、前記アセンブリに早急な接続及び取外しのための磁石を用いる前記アセンブリに磁気的に取付けることができることから成るアイテムを取付け及び取外しするためのキット。
【請求項４】
前記薄い脱着可能なプレートは、長さが２．０インチ以下、幅が２．０インチ以下及び磁石に磁気的に引付けられるため０．１２５インチから０．０６２５インチの間の厚さを有することを特徴とする請求項３に記載のキット。
【請求項５】
前記薄い脱着可能なプレートは、磁気的合金から成ることを特徴とする請求項３に記載のキット。
【請求項６】
前記薄い脱着可能なプレートは、さらに広告機能を発揮するため前記薄い脱着可能なプレートに配置されるコーティングを含むことを特徴とする請求項３に記載のキット。
【請求項７】
前記薄い脱着可能なプレートは、アイテムの片側に固定手段を有することができることを特徴とする請求項３に記載のキット。
【請求項８】
アイテムを取付け及び取外しするためのキットであって、
ａ）アセンブリであって、
ｉ）チャンバは、開口部、少なくとも下部壁、少なくとも側壁を有し、前記側壁は前記下部壁に接続され、
ｉｉ）磁気により引き付けられる内部プレートは、前記下部壁に隣接するチャンバの中に固定され、
ｉｉｉ）第１磁石平坦側面及び前記第１磁石平坦側面の反対側の第２磁石平坦側面を有する磁石であって、前記磁石はチャンバに配置され、前記磁石は第１磁場範囲と共に磁場範囲を設ける磁石であり、
ｉｖ）磁気により引き付けられる外部プレートは、厚さ及び第一磁気により引き付けられる外部プレートに隣接する磁石を保持する強力な磁力を備える下部壁の反対側の側壁に固定されることから成り、
ｂ）固定手段であって、
ｉ）軸は、前記チャンバ内で摺動可能に十分な小径を有し、前記軸は、前記磁石で前記磁気により引き付けられる内部プレートに隣接する位置から前記磁気により引き付けられる外部プレートに隣接する位置に移動可能な磁気的に引付けられる材料を含み、
前記チャンバ内で前記軸は、磁場範囲を磁気により前記引き付けられる内部プレートに係合する磁石を移動する第二磁場範囲へ拡張し、
固定手段は、急速接続及び取外しのための磁石を用いる前記アセンブリに磁気的に取付けることができることを含むことを特徴とするアイテムを取付け及び取外しするためのキット。
【請求項９】
前記固定手段は、多目的留め金、ジーンズ留め金、ベルトクリップ、財布クリップ、ゴルフバッグクリップ、およびそれらの組み合わせとすることができることを特徴とする請求項８に記載のキット。
【請求項１０】
アイテムは、ライター、懐中電灯、キーホルダ、筆記用具、唇ケア製品、化粧品、薬品容器、メモリカード、ＭＰ３プレーヤ、ｉＰｏｄ（商標）、カメラ、ビデオレコーダ、携帯電話、財布、たばこ入れ、眼鏡ケース、眼鏡、サングラス、ホースブライダル、ウェイクボード、スキーブーツ、それらの組み合せ、または同様のアイテムとすることを特徴とする請求項１，３又は８に記載のキット。
【請求項１１】
前記アセンブリは、さらに第二外部プレートが前記外部プレートの反対側の側壁上部に配置されることを含むことを特徴とする請求項１，３又は８に記載のキット。
【請求項１２】
前記第一外部プレートは、接着剤、締着具、エポキシ、他の接合材料またはそれらの組み合わせのグループから選択される固定手段を用いる前記側壁に固定されることを特徴とする請求項１，３又は８に記載のキット。
【請求項１３】
前記第一外部プレートは、前記側壁に脱着自在に固定することができることを特徴とする請求項１，３又は８に記載のキット。
【請求項１４】
前記チャンバは、円又は多角形状であることを特徴とする請求項１，３又は８に記載のキット。
【請求項１５】
前記軸は、第１磁石平坦側を係合するための少なくとも一つのピン軸フラット面を有する円筒状、円錐、若しくは多角形であることを特徴とする請求項２又は８に記載のキット。
【請求項１６】
前記側壁は、少なくとも右側壁上部を有する右側壁、左側壁上部を有する左側壁であることを特徴とする請求項１，３又は８に記載のキット。
【請求項１７】
前記磁石は、円筒形状の磁石、立方体形状磁石または他の幾何学的形状磁石であることを特徴とする請求項１，３又は８に記載のキット。
【請求項１８】
前記磁石は、固体磁石及び磁石のすべての側面に磁性があることを特徴とする請求項１，３又は８に記載のキット。
【請求項１９】
前記磁石は、希土類元素磁石であることを特徴とする請求項１８に記載のキット。
【請求項２０】
前記ピン軸及び前記ピン頭部は、二つの部分ユニットであることを特徴とする請求項２に記載のキット。
【請求項２１】
前記締着具及び軸は二つの部分ユニットであることを特徴とする請求項８に記載のキット。
【請求項２２】
前記ピン頭部は、前記ピン軸に着脱自在に取り付け可能であることを特徴とする請求項２に記載のキット。
【請求項２３】
前記ピン頭部及び前記ピン軸は、強磁性材料からできていることを特徴とする請求項２に記載のキット。
【請求項２４】
前記ピン頭部は、前記ピン軸よりも大径を有することを特徴とする請求項２に記載のキット。
【発明の詳細な説明】
【関連出願についてのクロスリファレンス】
【０００１】
本出願は、２００８年１０月８日付け出願の米国仮特許出願第６１／１０３，９０６号「ＫＩＴ  ＦＯＲ  ＱＵＩＣＫ  ＡＴＴＡＣＨＩＮＧ  ＡＮＤ  ＤＩＳＣＯＮＮＥＣＴＩＮＧ  ＡＮ  ＩＴＥＭ」の優先権と利益を主張する。この特許文献は、本願へ全て組み込まれる。
【技術分野】
【０００２】
本実施例は、一般的に、素早い接続及び取外しのため第１外側プレートに接する磁石を可動的に保てる強力な磁力を備えるための磁石を有するアセンブリを用いて、一つ以上のアイテムをすばやく脱着することを可能にするためのキットに関する。
【背景技術】
【０００３】
小さくコンパクトなアイテムは、大抵紛失するか置き忘れられる。一旦紛失され又は置き忘れられると、これらのアイテムは簡単には見つからず、大抵これらのアイテムを元に戻そうとするために費やされる消費者の時間を回避するため交換される。
【０００４】
複数のアイテムを接続することを可能にし、その上携帯している間着脱アイテムのための簡単で効率的な方法を提供し、急速取外しを可能にするキット及びアセンブリの必要性が存在する。
【０００５】
紛失され又は置き忘れられたアイテムを探す時間の浪費及びこれらのアイテムを元に戻せないときの支出を回避するためのキット及びアセンブリの更なる必要性が存在する。
【０００６】
本実施例は、これらの必要性を満たす。
【０００７】
詳細な説明は、以下の添付図面に関連し、より理解される。
【図面の簡単な説明】
【０００８】
【図１Ａ】図１Ａは、完全に分解されたアセンブリの等角図である。
【図１Ｂ】図１Ｂは、アセンブリが部分的に組み立てられるアセンブリの等角図である。
【図１Ｃ】図１Ｃは、完全に組み立てられるアセンブリの等角図である。
【図２】図２は、アセンブリの断面図である。
【図３Ａ】図３Ａは、係合ピンを係合しているアセンブリの断面図である。
【図３Ｂ】図３Ｂは、係合ピンを係合しているアセンブリの断面図である。
【図３Ｃ】図３Ｃは、係合ピンを係合しているアセンブリの断面図である。
【図３Ｄ】図３Ｄは、係合ピンを係合しているアセンブリの断面図である。
【図４Ａ】図４Ａは、アセンブリとともに用いられるアイテムを示す。
【図４Ｂ】図４Ｂは、アセンブリとともに用いられるアイテムを示す。
【図４Ｃ】図４Ｃは、アセンブリとともに用いられるアイテムを示す。
【図４Ｄ】図４Ｄは、アセンブリとともに用いられるアイテムを示す。
【図４Ｅ】図４Ｅは、アセンブリとともに用いられるアイテムを示す。
【図４Ｆ】図４Ｆは、アセンブリとともに用いられるアイテムを示す。
【図５Ａ】図５Ａは、交換可能なアクセサリアイテムとともに使用可能な係合ピンを示す。
【図５Ｂ】図５Ｂは、交換可能なアクセサリアイテムとともに使用可能な係合ピンを示す。
【図５Ｃ】図５Ｃは、交換可能なアクセサリアイテムとともに使用可能な係合ピンを示す。
【図５Ｄ】図５Ｄは、交換可能なアクセサリアイテムとともに使用可能な係合ピンを示す。
【図５Ｅ】図５Ｅは、交換可能なアクセサリアイテムとともに使用可能な係合ピンを示す。
【図５Ｆ】図５Ｆは、交換可能なアクセサリアイテムとともに使用可能な係合ピンを示す。
【図５Ｇ】図５Ｇは、交換可能なアクセサリアイテムとともに使用可能な係合ピンを示す。
【図５Ｈ】図５Ｈは、交換可能なアクセサリアイテムとともに使用可能な係合ピンを示す。
【図６】図６は、薄く着脱可能なプレートの実施例を示す。
【図７Ａ】図７Ａは、固定手段の実施例を示す。
【図７Ｂ】図７Ｂは、固定手段の実施例を示す。
【図７Ｃ】図７Ｃは、固定手段の実施例を示す。
【図７Ｄ】図７Ｄは、固定手段の実施例を示す。
【図７Ｅ】図７Ｅは、固定手段の実施例を示す。
【図７Ｆ】図７Ｆは、固定手段の実施例を示す。
【図７Ｇ】図７Ｇは、固定手段の実施例を示す。
【発明を実施するための形態】
【０００９】
本実施例は、記載された図面を参照し、以下において詳細に述べる。
【実施例】
【００１０】
詳細に本装置を説明する前に、本装置が特定の実施例に限定されるわけではなく、さまざまな方法で実行または実施されることを理解されたい。
【００１１】
本実施例は、第一外部プレートに隣接する磁石を移動可能に保持する強力な磁力を備えるための磁石を有するアイテムを着脱するためのアセンブリ及びアクセサリを含むキットに関する。
【００１２】
キットは更に、おのずと共に持ち続けることを必要とするアイテム、例えば、磁気によって共に持ち続けられるタバコパック及びライターを確実な方法で持ち歩く容易な方法に関する。
【００１３】
実施例は、キーまたは他の装置と組み合わせて、磁気固定手段に関連して防護タグ、例えば「ＲＦＩＤ’ｓ」または無線ＩＣタグ及びチップを使用することも考慮できる。
【００１４】
図面を参照すると、図１Ａは、完全に分解された急速取外しアセンブリの等角図を示す。
【００１５】
軽量の消費者向けアイテムを持ち歩くための急速取外しアセンブリ（６）はチャンバ（８）を有し、図１Ｂにおいて最良に図示されており、上部壁（１０）に開口部（９）を有している。
【００１６】
急速取外しアセンブリ（６）はまた、少なくとも下部壁（１１）を有し、反対側に上部壁（１０）を有し、４枚の側壁（１４ａ−１４ｄ）を有する。実施例において、４枚以上の側壁があることを考慮できる。他の実施例では、４枚以下の側壁があることを考慮できる。他の実施例では、側壁は、形状において連続的及び円筒状である。側壁及び下部壁がアイテムに造られた凹部により形成されることも考慮される。
【００１７】
急速取外しアセンブリ（６）は、下部壁（１１）に隣接してチャンバ（８）の中で固定される磁気により引き付けられる内部プレート（１２）を有する。急速取外しアセンブリ（６）は、磁気により引き付けられる外部プレート（２２）も有する。
【００１８】
磁気により引き付けられる外部プレート（２２）は、磁気により引き付けられる内部プレート（１２）の反対側の側壁（１４ｄ）の端部に取付けることができる。磁気により引き付けられる外部プレート（２２）は、磁気により引き付けられる外部プレート（２２）に隣接する磁石（１７）を保持するための厚さ及び強力な磁力を有する。複数の磁気により引き付けられる外部プレートが急速取外しアセンブリ（６）において用いられることが考慮される。磁気により引き付けられる外部プレート（２２）が側壁のいずれかに取付けられることも考慮される。
【００１９】
実施例において、側壁は少なくとも右側壁上部を有する右側壁及び左側壁上部を有する左側壁を有する。
【００２０】
第１磁石平坦側面（１８）及び第１磁石平坦側面の反対側に第２磁石平坦側面（１９）を有する磁石（１７）であって、磁石は上部壁（１０）と磁気により引き付けられる内部プレート（１２）の間を移動するためのチャンバ（８）に摺動可能に配置される。
【００２１】
実施例において、磁石は、円筒形状の磁石、立方体形状磁石または他の幾何学的形状の磁石とすることができる。幾何学的形状は、アイテムの製造によって決めることができる。
【００２２】
他の実施例では、磁石は固体磁石であり、磁石のすべての側面は磁気を帯びることができる。磁石は、更に希土類元素磁石とすることができる。
【００２３】
本実施例において、希土類元素は、例えば、永久磁石及び更に以下の４つのクラスを含むことのできるＮ２４からＮ５４の強度で等級分けされるネオジム鉄のホウ素磁石である。ネオジム鉄のホウ素（ＮｄＦｅＢまたはＮＩＢ）、サマリウムコバルト（ＳｍＣｏ）、アルニコ、セラミックまたはフェライト。
【００２４】
永久磁石、一時磁石、電磁石からなる磁石の主要な３タイプとして付加的な磁石を使用できる。
【００２５】
図１Ｂは、急速取外しアセンブリが部分的に組み立てられることが図示された急速取外しアセンブリの等角図を示す。側壁（１４ａ−１４ｄ）及び下部壁（１１）は、チャンバ（８）を形成するために互いに関連しあって図示される。磁気により引き付けられる外部プレート（２２）は、磁気により引き付けられる内部プレート（１２）の反対側に、側壁（１４ｄ）の端部に取付けることができる。
【００２６】
実施例において、チャンバは、円または多角形状とすることができる。
【００２７】
図１Ｃは、完全に組み立てられた急速取外しアセンブリの等角図を示す。磁気により引き付けられる内部プレート（１２）は、チャンバ（８）内部で下部壁（１１）に取り付けられる。磁石（１７）は、上部壁（１０）と磁気により引き付けられる内部プレート（１２）の間に移動するためのチャンバ（８）に、摺動可能に配置される。上部壁（１０）は開口部（９）を有し、下部壁（１１）の反対側の側壁（１４ａ−１４ｄ）に取り付けることができる。
【００２８】
図２は、急速取外しアセンブリの断面図を示す。断面図は、側壁のうちの２枚（１４ｂ及び１４ｄ）を断面した急速取外しアセンブリを示す。断面図はまた、それぞれ反対側に上部壁（１０）及び下部壁（１１）を示す。
【００２９】
磁気により引き付けられる外部プレート（２２）は、固定手段（２５）を用いる側壁に固定することができる。
【００３０】
実施例において、固定手段は、磁気により引き付けられる外部プレートへ伸び側壁のなかへ入ることができる。固定手段は、接着剤、締着具、例えばネジまたはピン、エポキシ、他の接合材料またはそれらの組み合わせとすることができる。
【００３１】
アイテムはライター、懐中電灯、キーホルダ、ＭＰ３プレーヤ、ｉＰｏｄ（商標）、携帯電話、カメラ、ビデオレコーダ、財布、たばこ入れ、眼鏡ケース、眼鏡、サングラス、ホースブライドル、ウェイクボード、スキーブーツ、または、同様のアイテムとすることができる。
【００３２】
磁気的に引き付けられる内部プレート（１２）は、チャンバ（８）内部で下部壁（１１）に取り付けられる。
【００３３】
磁石（１７）は、上部壁（１０）と磁気により引き付けられる内部プレート（１２）の間に移動するためのチャンバ（８）に摺動可能に配置されることが示される。
【００３４】
開口部（９）の一部は、上部壁（１０）にも示される。
【００３５】
図３Ａは、急速取外しアセンブリの断面図を示す。断面図は、側壁（１４ｂ及び１４ｄ）の２枚を断面する急速取外しアセンブリを示す。断面図はまた、上部壁（１０）及び下部壁（１１）が各々の反対側にあることを示す。
【００３６】
磁気により引き付けられる内部プレート（１２）は、チャンバ（８）内部で下部壁（１１）に取り付けられることが示される。
【００３７】
磁石（１７）は、上部壁（１０）に隣接して第１位置（５０）のチャンバ（８）に摺動可能に配置されることが示される。磁石（１７）は、磁気により引き付けられる外部プレート（２２）に、磁石の磁力によって第１位置（５０）において保たれる。
【００３８】
図３Ａはまた、磁気により引き付けられる外部プレート（２２）に引きつけられる位置において、第１磁場範囲（７０）を有する磁場（２１）を示す。
【００３９】
ピン頭部（３２）及びピン軸（３４）を有する係合ピン（３０）は、磁石（１７）によってできた磁場の外側に位置することが示される。係合ピン（３０）のピン軸（３４）は、上部壁（１０）の開口（９）を通るチャンバの内部へ摺動可能に移動するのに十分な小径を有する。ピン軸は、磁石（１７）を移動することができる磁気により引き付けられる材料を含む。
【００４０】
実施例において、ピン軸は、第１磁石平坦側を係合するための少なくとも一つのピン軸フラット面を有する円筒状、円錐、若しくは多角形とすることができる。
【００４１】
実施例において、ピン軸及びピン頭部は強磁性材料、例えば鋼でできていることができ、２つの部分ユニットであることができ、それは更にネジ、エポキシ、接着、溶接、クランピング、スナッピング、ボルト締め又は他の固定手段によって各々着脱自在に取り付け可能であることができる。付加的な実施例において、ピン軸及びピン頭部は、強磁性材料でできていることができ、一つの部分ユニットであることができる。付加的な磁気材料、例えば鉄及び鋼が用いられることができる。
【００４２】
図３Ｂは、急速取外しアセンブリの断面図を示す。断面図は、側壁（１４ｂ及び１４ｄ）の２枚を断面する急速取外しアセンブリを示す。断面図はまた、上部壁（１０）及び下部壁（１１）が各々の反対側にあることを示す。
【００４３】
磁気により引き付けられる内側板（１２）は、チャンバ（８）内部で下部壁（１１）に取り付けられることが示される。
【００４４】
ピン頭部（３２）を有する係合ピン（３０）とピン軸（３４）は磁石（１７）を有する磁気的に取付けられた位置に示される。一旦、係合ピン（３０）が磁石（１７）を有する磁気的に取付けられた位置にあると、磁場（２１）は形状を第２磁場範囲（７２）に変えることができる。
【００４５】
磁場（２１）の新規な形状は磁石の磁力の強度を磁気により引き付けられる内部プレート（１２）に変え、磁石（１７）は図１Ｃに最良に示すことができる磁気により引き付けられる内部プレート（１２）に隣接して第２位置（５２）へ移動する。
【００４６】
図３Ｃは、急速取外しアセンブリの断面図を示す。断面図は、側壁（１４ｂ及び１４ｄ）の２枚を断面する急速取外しアセンブリを示す。断面図はまた、上部壁（１０）及び下部壁（１１）が各々の反対側にあることを示す。
【００４７】
磁気により引き付けられる内部プレート（１２）は、チャンバ（８）内部で下部壁（１１）に取り付けられることが示される。
【００４８】
係合ピンのピン軸（３４）は、チャンバ（８）のなかで、上部壁（１０）の開口部（９）を通り、磁石（１７）に取り付けられた磁気的に引きつけられた位置に摺動可能に配置されることが示される。
【００４９】
ピン頭部は、ピン軸より大きい直径を有すことができ、ピン軸のように同一材料から作られることができる。他の実施例では、ピン軸及びピン頭部は異なる材料でできていることができる。この種の材料としては、例えばプラスチック、金属、金属合金、ポリマー及び木等が挙げられるがこれらに限られない。
【００５０】
磁石（１７）は、磁気により引き付けられる内部プレート（１２）に隣接して第２位置（５２）のチャンバ（８）に摺動可能に配置されることが示される。磁石（１７）は、磁気により引き付けられる内部プレート（１２）に磁石の磁力によって第２位置（５２）で保たれる。
【００５１】
図３Ｄは、アセンブリの断面図を示す。断面図は、側壁（１４ｂ及び１４ｄ）のうちの２枚を断面する急速取外しアセンブリを示す。断面図はまた、上部壁（１０）及び下部壁（１１）が各々の反対側にあることを示す。
【００５２】
磁気により引き付けられる内部プレート（１２）は、チャンバ（８）内部で下部壁（１１）に取り付けられることが示される。
【００５３】
作用（６０）が磁石（１７）と磁気により引き付けられる内部プレート（１２）の間に磁力を弱めるのに十分な力を有する係合ピン（３０）を引くときに、磁石（１７）は、上部壁（１０）と接触するまでチャンバをスライドすることができる。
【００５４】
作用（６０）が磁石（１７）と係合ピン（３０）の間に磁力を弱めるのに十分な場合、係合ピンの（３０）ピン軸（３４）は上部壁（１０）の開口部（９）を通りチャンバ（８）を抜けることができる。
【００５５】
一旦、係合ピン（３０）が磁石（１７）に取り付けられた磁気的に引きつけられた位置から取り外されると、磁場（２１）はその第１磁場範囲（７０）へ形状を変え、磁石（１７）は磁気により引き付けられる外部プレート（２２）に磁石（１７）の磁力によって第１位置（５０）に再度保たれる。
【００５６】
図４Ａ−４Ｆは、アセンブリを使用可能なアイテム（４０）を示す。アセンブリの使用法は、これらの描写だけに限られていない。
【００５７】
〔ピン及びアクセサリアイテムを有するキット〕
実施例において、アイテムを取り付け、取り外すためのキットは、ピン頭部及びピン軸から成る係合ピンを有するアセンブリを含む。キットにはさらに、交換可能なアクセサリアイテムが具備されている。
【００５８】
実施例において、ピン頭部及びピン軸は中空であることができる。他の実施例において、ピン軸は固くピン頭部は中空であることができる。さらなる実施例において、ピン頭部はアダプタを有し、他の実施例において、ピン頭部はアタッチメントを有することができる。
【００５９】
交換可能なアクセサリアイテムは、急速な取付け及び取外しのための磁石を使用しているアセンブリに磁気的に取付けることができる。交換可能なアクセサリアイテムはキーホルダ、カラビナ、フロート・キーホルダ、宝石類、栓抜き、ランヤード、吸着カップ、シガーパンチ及びそれらの組み合わせとすることができる。
【００６０】
本実施例において、締着具は、万能留め金、ジーンズスナップ、ジーンズ留め金、ベルトクリップ、財布クリップ、ゴルフバッグクリップ及びそれらの組み合わせのように用いることができる。本実施例において使用できる締着具は、急速取付け及び取外しのための磁石を用いているアセンブリに磁気的に取付けることができる係合ピンを更に含むことができる。
【００６１】
一つ以上の交換可能なアクセサリアイテムは、本実施例において一度にアセンブリに取付けられる。
【００６２】
図５Ａ−５Ｈは、アイテム（４０）に接続している交換可能なアクセサリアイテム（５５）で用いられている係合ピン（３０）を示す。これらの図は、更にアイテム（４０）で様々な位置で使用する係合ピンのピン頭部（３２）及びピン軸（３４）を示す。
【００６３】
〔シガレットプラーク（ＣＩＧＡＲＥＴＴＥ  ＰＬＡＱＵＥ）〕
実施例において、アイテム取付け取外しキットは、薄い着脱可能なプレートを有するアセンブリを含む。薄い着脱可能なプレートはアイテムに差し込むことができ、アセンブリに急速接続取外しための磁石を用いるアセンブリに磁気的に取付けることができる。
【００６４】
薄い着脱可能なプレート（６５）は、約２．０インチ〜約６．０インチ間の長さ及び約０．２５インチ〜約０．７５インチ間の厚みを有することができる。プレートは、磁石に磁気的に引付くことができるステンレス鋼または他の磁気材料から製造される。補足的な実施例において、プレートは異なるサイズの留め金との係合を可能にしている異なる直径を有する穴と共に穿孔させられる。
【００６５】
付加的な実施例において、薄い着脱可能なプレートは上記の通りの寸法よりも大きく又は小さくすることができる。
【００６６】
他の実施例において、薄い脱着可能なプレート（６５）の長さは約２．０インチ以下、幅は約２．０インチ以下であり、セカンドアイテム（４５）に取付けるため、０．２５インチ以下の厚さを有する材料の少なくとも一つの層を通す磁石に磁気的に引付けられるため約０．１２５インチから約０．０６２５インチの間の厚みを有する。材料の少なくとも一つの層は、ファブリック（ｆａｂｒｉｃ）、セロハン、プラスチック、紙、ボール紙、ビニル、ラテックス、それらの組み合わせを含むがこれに限定されるものではない。
【００６７】
図６は、第１アイテム（４０）及び第２アイテム（４５）で用いられている薄い着脱可能なプレート（６５）の実施例を示す。薄い着脱可能なプレートは、この図に示すように材料（６７）の少なくとも一つの層に差し込むことができる。
【００６８】
薄い着脱可能なプレートは、アイテムの一方に添える手段を更に含むことができる。固定手段は、接着剤、ベルクロ、吸着カップ、スナップ、バックル、留め金、クリップ及びそれらの組み合わせとすることができる。
【００６９】
実施例において、薄い着脱可能なプレートはくぼみ部分を有し、表面はカーブするかまたは外側に丸くされる。へこみ部分は、切取り線または穴を更に有することができる。
【００７０】
付加的な実施例において、キットは２枚の薄い着脱可能なプレートを含む。他のプレートが急速接続及び取外しのためのへこみ部分を有する一方、もう１枚のプレートは固体であることができる。
【００７１】
付加的な実施例において、薄い着脱可能なプレートは、上記の通りの寸法よりも、より大きく又はより小さくできる。
【００７２】
実施例において、薄い着脱可能なプレートは、装置のため１つのステップで、保持及び広告する二重機能を提供するようなメッセージ、例えば広告メッセージ、スローガンまたはロゴを有することができる。
【００７３】
〔固定手段を有するキット〕
もう一つの実施例では、アイテムを取付け取外すためのキットは、アセンブリ及び固定手段を含む。固定手段は、さらにチャンバの中に摺動可能に移動するのに十分な小直径を有する軸と、軸は磁石を磁気的に引付けられる内部プレートに隣接する位置から磁気的に引付けられる外部プレートに隣接する位置に動かすことのできる磁気的に引付けられる材料を含むことができる。
【００７４】
アセンブリのチャンバ内部の軸は、磁気的に魅力的な内側板を係合するために磁石を移動している第２磁場サイズに磁場を拡張し、固定手段はアセンブリに急速接続取外しのための磁石を使用しているアセンブリに磁気的に取付けることができる。
【００７５】
この実施例にて説明したように固定手段は、多目的留め金、ジーンズスナップ、ジーンズ留め金、ベルトクリップ、財布クリップ、ゴルフバッグクリップ及びそれらの組み合わせに限られていない。
【００７６】
図７Ａ−７Ｇは、第１アイテム（４０）及び第２アイテム（４５）で用いられている固定手段（７５）の実施例を示す。固定手段の実施例は図に表されているもの限られない。
【００７７】
他の実施例では、キットは、アセンブリ及びアイテムを囲むための柔軟な磁気部分を含む。柔軟な磁気部分は、ファブリック（ｆａｂｒｉｃ）、フォーム（ｆｏａｍ）またはその他の可撓性材料で覆われている。本実施例における、アセンブリが急速接続及び取外しのための柔軟な磁気部分に磁石を使用して取付ける。
【００７８】
これらの実施例が実施例の重要点に関して記載される一方、添付の請求の範囲内において、ここに特に記載されているように、実施例が実施される可能性を理解すべきである。
【図１Ａ】
0005442739.tif 000002
【図１Ｂ】
0005442739.tif 000003
【図１Ｃ】
0005442739.tif 000004
【図２】
0005442739.tif 000005
【図３Ａ】
0005442739.tif 000006
【図３Ｂ】
0005442739.tif 000007
【図３Ｃ】
0005442739.tif 000008
【図３Ｄ】
0005442739.tif 000009
【図４Ａ】
0005442739.tif 000010
【図４Ｂ】
0005442739.tif 000011
【図４Ｃ】
0005442739.tif 000012
【図４Ｄ】
0005442739.tif 000013
【図４Ｅ】
0005442739.tif 000014
【図４Ｆ】
0005442739.tif 000015
【図５Ａ】
0005442739.tif 000016
【図５Ｂ】
0005442739.tif 000017
【図５Ｃ】
0005442739.tif 000018
【図５Ｄ】
0005442739.tif 000019
【図５Ｅ】
0005442739.tif 000020
【図５Ｆ】
0005442739.tif 000021
【図５Ｇ】
0005442739.tif 000022
【図５Ｈ】
0005442739.tif 000023
【図６】
0005442739.tif 000024
【図７Ａ】
0005442739.tif 000025
【図７Ｂ】
0005442739.tif 000026
【図７Ｃ】
0005442739.tif 000027
【図７Ｄ】
0005442739.tif 000028
【図７Ｅ】
0005442739.tif 000029
【図７Ｆ】
0005442739.tif 000030
【図７Ｇ】
0005442739.tif 000031